(57)【要約】本発明は、コンセントに固定される固定部と負荷機器に連結される回転部とに分離されて、電源供給線のねじれを防止すると共に、前記回転部の回転により負荷機器に供給される電源をオン/オフする電源プラグを提供するためのもので、各端子棒が固定され、該端子棒と連結される連結端子が付着される固定部と、該固定部の上側に回転自在に配置され、負荷側に電源を供給する回転部と、前記固定部と前記回転部との間に形成され、該回転部の回転により負荷機器への電源供給を連結及び遮断させる電源オン/オフ手段と、前記回転部の上側に設置されて、該回転部の回転をロッキングするロッキング手段と、から構成される。
2004531046.tif 000002
【特許請求の範囲】
【請求項１】
コンセントに差し込まれる各端子棒が固定され、上面に該端子棒と連結される連結端子が付着される固定部と、
該固定部の上側に回転自在に配置され、負荷側に電源を供給する電源供給線が連結される入力端子が下面に付着される回転部と、
前記固定部に固定され前記回転部に貫通されて、該回転部を回転自在に保持するヒンジ軸と、
該ヒンジ軸の外周面に介在されて、前記連結端子と入力端子とが接続された状態を維持するように弾性力を付与する弾性部材と、
前記固定部と前記回転部との間に形成され、該回転部の回転により負荷機器への電源供給を連結及び遮断させる電源オン/オフ手段と、
前記回転部の上側に設置されて、該回転部の回転をロッキングするロッキング手段と、
を含んで構成されることを特徴とする電源プラグ。
【請求項２】
前記固定部は、所定厚さを有する円板状に形成され、その中央には、前記ヒンジ軸が固定され、その下側には、一対の端子棒が固定され、その上面には、前記一対の端子棒とそれぞれ連結される半円のバンドタイプの連結端子が付着されることを特徴とする請求項１記載の電源プラグ。
【請求項３】
前記固定部の下面には直径方向に接地板が付着され、該接地板の両端は折曲されて前記固定部の両側面に形成された挿合溝に挿合され、前記接地板の中央は貫通されて前記ヒンジ軸が接続可能に挿合されることを特徴とする請求項１記載の電源プラグ。
【請求項４】
前記回転部は、その一側に、負荷機器に連結される電源供給線が挿入され、その下面に、該電源供給線が連結される入力端子が付着され、その中央に、垂直方向に前記ヒンジ軸が回転自在に挿合される貫通ホールが形成され、その上側に、該貫通ホールから延長されて所定空間を有する空間部が形成されることを特徴とする請求項１記載の電源プラグ。
【請求項５】
前記ヒンジ軸は、前記固定部に垂直方向に挿合され、その上端には、前記回転部に係止されるようにロッキングリングが係合されることを特徴とする請求項１記載の電源プラグ。
【請求項６】
前記電源オン/オフ手段は、
前記固定部の上面に円周方向に所定間隔をおいて所定深さを有するように形成された第１グルーブと、
該第１グルーブと隣接する第１グルーブ間にそれぞれ形成され、該第１グルーブに比べてその深さが小さく形成された第２グルーブと、
前記回転部の下面に円周方向に所定高さに突成されて、前記第１及び第２グルーブに係合される突条と、
から構成されることを特徴とする請求項１記載の電源プラグ。
【請求項７】
前記ロッキング手段は、
前記ヒンジ軸の上側に係止されるように係合され、外側縁部に所定間隔をおいてロッキング溝が形成されたロッキングリングと、
前記回転部の空間部に直線移動自在に装着されて、前記ロッキング溝に係止されるロッキング突条が突成されたノブと、
該ノブの下面に配置されて該ノブに所定弾性力を付与する板バネと、
から構成されることを特徴とする請求項１記載の電源プラグ。
【請求項８】
前記板バネは、一端が前記ロッキングリングと接地され、他端は接地線と連結されることで、接地がなされるようにすることを特徴とする請求項７記載の電源プラグ。
【発明の詳細な説明】
【技術分野】
【０００１】
本発明は、電源プラグに係るもので、詳しくは、電源供給線のねじれを防止すると共に、負荷機器に印加される電源をオン/オフし得る電源プラグに関するものである。
【背景技術】
【０００２】
一般に、電源プラグは、負荷機器と電源供給線を介して連結され、電源供給部と連結されたコンセントに差し込まれることで電源を連結する機能をするもので、電源供給線に連結され、コンセントに差し込まれる端子棒と、該端子棒を保護するケースと、から構成される。
【０００３】
このような従来の電源プラグは、端子棒がケースに固定されることで、該端子棒がコンセントに差し込まれるとき、プラグが差し込まれる方向が一方向に決まるため、複数のプラグをコンセントに結合するとき隣接したプラグ及び電源供給線が干渉し合って、電源プラグの結合及び分離が不便で、負荷機器及びコンセントが配置される位置によって、電源供給線がねじれた状態で配置されるか、または複数の電源線がねじれ合うという問題点があった。
【０００４】
また、負荷機器に印加される電源を遮断する場合、前記プラグの端子棒をコンセントから抜かなければならないため、使用が不便であるという問題点があった。
特に、電源プラグとコンセントとの分離及び連結が煩雑で、前記電源プラグがコンセントに差し込まれた状態で負荷機器の電源のみをオフする場合、電力が浪費され、負荷機器の寿命が短縮され、過負荷により火災が発生する憂いがある。
【０００５】
このような従来の電源プラグの問題点を解決するために提案された、大韓民国公開実用新案第８７-５８９２号の回転する電源プラグは、プラグ端子を有するプラグ体に電源供給線が連結された中間回転円板が回転自在に連結され、それら中間回転円板及びプラグ体は導電板により電源が連結されるようにし、前記中間回転円板と該中間回転円板の上側に配置された上部回転円板間には板バネを介在して前記導電板がプラグ体と接地されるように構成されている。
且つ、前記回転する電源プラグは、プラグ端子を有するプラグ体と電源供給線が連結された中間回転円板とが相対的に回転される。
【０００６】
然し、このような回転する電源プラグは、前記中間回転円板が前記プラグ体と回転自在に締結されることで、電源供給線の位置を変更することができるが、前記導電板が前記プラグ体と恒常接続された状態であるので、負荷機器に伝達される電源をオン/オフする機能を行うことができないため、電源をオフする場合、電源プラグをコンセントから抜かなければならず使用が不便であるという問題点があった。
そして、大韓民国公開実用新案公報第９３-２２４２６号のプラグは、上下部接続端子が固定された固定部材と、該固定部材の一側面に回転自在に弾力接続されて下方に電源供給線が固定された回転部材と、から構成されることで、前記回転部材の回転時、電源供給線が如何なる角度に移動されても、上下部接続端子に印加される電源は電源供給線を通して流れ続けるようになる。
【０００７】
然し、このようなプラグは、電源供給線が固定された回転部材が上下部接続端子が固定された固定部材と相対的に回転されることで、電源供給線の位置を変更することができるが、負荷機器に伝達される電源を遮断する機能はないため、電源を遮断する場合、プラグをコンセントから抜かなければならず使用が不便であるという問題点があった。
【０００８】
前述したプラグの問題点を解決するため、大韓民国公開実用新案公報第９９-３４７３２号の電気プラグは、プラグ自体で負荷機器に供給される電源をオン/オフする機能を行い得るように構成されている。
即ち、前記電気プラグは、外部電源の入力を受けるためにコンセントに差し込まれる外部電源入力部と、該外部電源入力部に入力された外部電源を電気製品に供給及び遮断するための導電性材質の電源供給/遮断部を有する電源制御部と、外部電源が負荷機器に供給される状態であるか遮断された状態であるかを外部に知らせる電源表示部と、から構成される。
【０００９】
然るに、このような従来のプラグにおいては、プラグがコンセントに差し込まれた状態で電源制御部を回転させることで、負荷機器に供給される電源をオン/オフすることができるが、前記電源制御部が外力により回転されやすいため、該電源制御部の回転により調節された位置を安定に維持し得ないという不都合な点があった。
【００１０】
また、このように前記電源制御部が外力により回転される場合、電源がオン状態またはオフ状態を維持し得ないため、負荷機器に印加される電源が突然に遮断または連結されることで、負荷機器に損傷を与える憂いがある。
【００１１】
その他、日本国実開平６-５８５８５(プラグ)及び大韓民国公開実用新案公報第９９-１７４５１(回転プラグ)にプラグを回転自在にすることで電源供給線の位置を変更し得るシステムが開示されているが、前述したような不都合な点が内包されている。
【発明の開示】
【００１２】
本発明は、このような従来の課題に鑑みてなされたもので、コンセントに固定される固定部と負荷機器に連結される回転部とに分離されて、電源供給線のねじれを防止すると共に、前記回転部の回転により負荷機器に供給される電源をオン/オフすることができ、前記回転部の回転された位置をロッキングすることで、電源のオン位置及びオフ位置を安定に維持し得る電源プラグを提供することを目的とする。
【００１３】
このような目的を達成するため、本発明に係る電源プラグにおいては、コンセントに差し込まれる各端子棒が固定され、上面に該端子棒と連結される連結端子が付着される固定部と、該固定部の上側に回転自在に配置され、負荷側に電源を供給する電源供給線が連結される入力端子が下面に付着される回転部と、前記固定部に固定され前記回転部に貫通されて、該回転部を回転自在に保持するヒンジ軸と、該ヒンジ軸の外周面に介在されて、前記連結端子と入力端子とが接続された状態を維持するように弾性力を付与する弾性部材と、前記固定部と前記回転部との間に形成され、該回転部の回転により負荷機器への電源供給を連結及び遮断させる電源オン/オフ手段と、前記回転部の上側に設置されて、該回転部の回転をロッキングするロッキング手段と、を含んで構成されることを特徴とする。
【図面の簡単な説明】
【００１４】
【図１】本発明に係る電源プラグを示した分解斜視図である。
【図２】本発明に係る電源プラグの固定部と回転部とが分離された状態の斜視図である。
【図３】本発明に係る電源プラグの結合断面図である。
【図４】本発明に係る電源プラグの固定部の上面図である。
【図５】本発明に係る電源プラグの回転部の底面図である。
【図６】本発明に係る電源プラグの固定部の底面図である。
【図７】本発明に係る電源プラグの電源連結状態を示した断面図である。
【図８】本発明に係る電源プラグの電源遮断状態を示した断面図である。
【図９】本発明に係る電源プラグのロッキング手段の構造を示した一部断面図である。
【図１０】本発明に係る電源プラグのロッキング手段の作動状態を示した上面図である。
【発明を実施するための最良の形態】
【００１５】
以下、本発明の実施の形態について、図面に基づいて説明する。
図１は、本発明に係る電源プラグを示した分解斜視図、図２は、本発明に係る電源プラグの固定部と回転部とが分離された状態の斜視図、図３は、本発明に係る電源プラグの結合断面図、図４は、本発明に係る電源プラグの固定部の上面図、図５は、本発明に係る電源プラグの回転部の底面図である。
【００１６】
図示されたように、本発明に係る電源プラグにおいては、外部電源と連結されるコンセント(図示せず)に差し込まれる端子棒２が固定される固定部４と、該固定部４に回転自在に締結され、負荷機器に連結される電源供給線８が連結される入力端子１０が付着される回転部６と、前記固定部４に固定されて前記回転部６を回転自在に保持するヒンジ軸１２と、前記回転部６の回転により負荷機器への電源供給をオン/オフする電源オン/オフ手段と、前記回転部６の上側に設置されて該回転部６の回転をロッキングするロッキング手段と、を含んで構成されている。
【００１７】
前記固定部４は、所定厚さを有する円板状に形成され、その中央には、前記ヒンジ軸１２が挿合され、その下側には、前記一対の端子棒２が所定長さだけ突出して固定され、前記固定部４の上面には、前記一対の端子棒２とそれぞれ連結される連結端子１４が付着される。
【００１８】
また、前記連結端子１４は、前記固定部４の上面に露出された状態で付着される半円のバンドタイプに形成され、一端が前記端子棒２にそれぞれ連結されて、前記回転部６が回転されるとき、該回転部６の入力端子１０と接続されるようにする。
【００１９】
また、前記固定部４の下面には、図６に示したように、直径方向に接地板１６が付着され、該接地板１６の両端は折曲されて前記固定部４の両側面に形成された挿合溝２０に挿合され、前記接地板１６の中央は貫通されて前記ヒンジ軸１２が接続可能に挿合される。
【００２０】
また、前記回転部６は、その一側に、負荷機器に連結される電源供給線８が挿入され、その下面に、前記入力端子１０が固定され、その中央に、垂直方向に前記ヒンジ軸１２が挿合される貫通ホール２２が形成され、その上側に、該貫通ホール２２から延長されて前記ロッキング手段が設置される所定空間を有する空間部２６が形成される。
且つ、前記回転部６には、前記負荷機器に電源が印加されるとき、点灯されることで外部に現在の状態を知らせる発光ダイオードのようなランプを設置することができる。
【００２１】
また、前記入力端子１０は、前記電源供給線８と連結され、前記連結端子１４に接続されて負荷機器に電源を印加する。
【００２２】
また、前記ヒンジ軸１２の下端には、前記固定部４の下面に係止されるように外側方向に延長されるフランジ２６が形成され、前記ヒンジ軸１２の上端には、前記回転部６の空間部２４に係止されるロッキングリング２８が係合されることで、前記回転部６が前記ヒンジ軸１２から離脱することを防止する。
且つ、前記ロッキングリング２８の離脱を防止するため、前記ヒンジ軸１２の上側に固定リング３０が係合され、前記回転部６の貫通ホール２２には、該回転部６が前記固定部４に接触される方向に所定弾性力を付与する弾性部材３２が介在される。
即ち、前記弾性部材３２は、コイルスプリングタイプで、前記貫通ホール２２に挿入されて、その一端は前記貫通ホール２２の下側に内側方向に突成される係止シート３４に安着され、他端は前記ロッキングリング２８の下面に安着されて、前記回転部６に下側方向に弾性力を付与することで、前記回転部６と前記固定部４間に所定弾性力が維持されるようにする。
【００２３】
また、前記電源オン/オフ手段は、図７に示したように、前記回転部６の回転により該回転部６の入力端子１０と前記固定部４の連結端子１４間を接続または分離させることで、前記負荷機器に供給される電源のオン/オフ機能を行うもので、前記固定部４の上面に円周方向に所定深さを有するように所定間隔をおいて形成された第１グルーブ３６と、それら第１グルーブ３６間にそれぞれ形成され、該第１グルーブ３６に比べてその深さが小さく形成された第２グルーブ３８と、前記回転部６の下面に円周方向に前記第１及び第２グルーブ３６、３８と同一形状を有するように突成される突条４０と、から構成される。
【００２４】
ここで、前記突条４０は、前記第１グルーブ３６に係合されるとき、前記入力端子１０と前記連結端子１４とが接続され、前記第２グルーブ３８に係合されるときは、前記入力端子１０と前記連結端子１４とが分離されるような所定高さを有するように形成されることが好ましい。
【００２５】
このような電源オン/オフ手段は、図７及び図８に示したように、前記回転部６が回転されて前記突条４０が前記第１グルーブ３６に係合されるときは、前記第１グルーブ３６の深さが深く形成されるため、前記固定部４の連結端子１４と前記回転部６の入力端子１０とが相互接続されて電源が負荷機器に供給され、前記回転部６が更に回転されて前記突条４０が前記第２グルーブ３８に係合されるときは、前記第２グルーブ３８の深さが薄いため、前記回転部６の入力端子１０と前記固定部４の連結端子１４とが離れて負荷機器への電源供給が遮断される。
【００２６】
また、前記ロッキング手段は、図９及び図１０に示したように、前記ヒンジ軸１２の上側に係止されるように係合され、外側縁部に所定間隔をおいてロッキング溝４２が形成されたロッキングリング２８と、前記回転部６の空間部２４に直線移動自在に装着されて、前記ロッキング溝４２に係止されるロッキング突条４４が突成されたノブ４６と、から構成される。
【００２７】
また、前記空間部２４の開放された上側にはカバー４８が装着され、該カバー４８は、その両端部に、該カバー４８が前記空間部２４に固定されるように該空間部２４の両側面に形成された係止溝５４に係止される係止突条５６がそれぞれ突成され、前記ノブ４６が直線移動されるようにガイドするガイドホール５０が形成される。また、前記カバー４８の下面には、前記ノブ４６が直線移動されるように保持し、前記ロッキング突条４４が正確に直線移動されるようにガイドするガイド部６０が一体に形成される。
【００２８】
また、前記ノブ４６の下面には、該ノブ４６に所定弾性力を付与することで移動された位置を保持する板バネ５２が装着される。
且つ、前記板バネ５２は、一端が前記ロッキングリング２８と接地され、他端は接地線５８と連結されることで接地がなされる。
このとき、前記固定部４に付着される接地板１６が前記ヒンジ軸１２と接地され、該ヒンジ軸１２は金属材質のロッキングリング２８と接地され、該ロッキングリング２８は金属材質の板バネ５２と接地され、該板バネ５２は接地線５８と連結されることで接地がなされるようにする。
【００２９】
このように構成されたロッキング手段は、前記ノブ４６を前進させると、前記ロッキング突条４４が前記ロッキング溝４２に係止されることで前記回転部６をロッキングし、前記ノブ４６を後進させると、前記ロッキング突条４４が前記ロッキング溝４２から離脱されることで前記回転部６のロッキングを解除する。
【００３０】
以下、このように構成された本発明に係る電源プラグの動作に対して説明する。
負荷機器に電源を伝達する場合、端子棒２をコンセントに差し込んでおき、前記回転部６のロッキングを解除し、該回転部６を回転させて電源供給線８の位置をセッティングした後、前記回転部６をロッキングすることで、外部の電源が負荷機器に伝達されるようにする。
より詳しく説明すると、回転部６の上側に配設されたノブ４６を後退させて、該ノブ４６に形成されたロッキング突条４４を、ヒンジ軸１２に係合されたロッキングリング２８に形成されたロッキング溝４２から離脱させた後、前記回転部６を回転させて前記固定部４の第１グルーブ３６に前記回転部６の突条４０を係合すると、端子棒２と連結された連結端子１４と電源供給線８と連結された入力端子１０とが接続されることで電源側から負荷機器に電源が印加され、このような状態で前記ノブ４６を前進させると、前記ロッキング突条４４が前記ロッキング溝４２に係止されることで前記回転部６をロッキングする。
【００３１】
このとき、弾性部材３２が回転部６を下方に押す方向に弾性力を提供して、前記連結端子１４と入力端子１０間の接続状態を維持することで、電源がオン状態を安定に維持する。
【００３２】
一方、負荷機器に伝達される電源を遮断する場合、前記ノブ４６を後退させると、前記ロッキング突条４４が前記ロッキング溝４２から離脱されることで前記回転部６のロッキングが解除される。このような状態で、前記回転部６を所定角度だけ回転させて前記固定部４の第２グルーブ３８に前記回転部６の突条４０を係合すると、前記連結端子１４と前記入力端子１０とが分離されることで負荷機器への電源が遮断される。次いで、前記ノブ４６を前進させると、前記回転部６がロッキングされることで電源がオフ状態を維持するようになる。
【産業上の利用可能性】
【００３３】
以上説明したように、本発明に係る電源プラグにおいては、電源コンセントに固定される固定部と電源供給線に連結される回転部とから構成することで、回転部を回転させてコンセントの接続位置を自由に調節することができ、負荷機器及びコンセントの位置によって回転部を回転させて電源供給線の位置及び方向を調節することで、電線のねじれを防止することができる。
【００３４】
また、前記回転部と固定部との間に電源オン/オフ手段を形成することで、前記回転部の回転により前記負荷機器に伝達される電源をオン/オフすることができるので使用が便利である。
また、前記回転部の上側に前記回転部の回転をロッキングするロッキング手段を設置することで、電源のオン位置及びオフ位置を安定に維持することができる。
【図１】
2004531046.tif 000003
【図２】
2004531046.tif 000004
【図３】
2004531046.tif 000005
【図４】
2004531046.tif 000006
【図５】
2004531046.tif 000007
【図６】
2004531046.tif 000008
【図７】
2004531046.tif 000009
【図８】
2004531046.tif 000010
【図９】
2004531046.tif 000011
【図１０】
2004531046.tif 000012
【国際公開パンフレット】
2004531046.tif 000013
2004531046.tif 000014
2004531046.tif 000015
2004531046.tif 000016
2004531046.tif 000017
2004531046.tif 000018
2004531046.tif 000019
2004531046.tif 000020
2004531046.tif 000021
2004531046.tif 000022
2004531046.tif 000023
2004531046.tif 000024
2004531046.tif 000025
2004531046.tif 000026
2004531046.tif 000027
2004531046.tif 000028
2004531046.tif 000029
2004531046.tif 000030
2004531046.tif 000031
2004531046.tif 000032
2004531046.tif 000033
2004531046.tif 000034
2004531046.tif 000035
2004531046.tif 000036
2004531046.tif 000037
【国際調査報告】
2004531046.tif 000038